(57)【要約】【課題】発光色の異なる複数の発光手段からなる光源を備えた構成において、より質の高い画像を投影することが可能なプロジェクタ装置、及びその光源制御方法を提供する。【解決手段】発光色が三原色のＬＥＤ（Ｒ−ＬＥＤ、Ｇ−ＬＥＤ、Ｂ−ＬＥＤ）を光源とする構成である。各色のＬＥＤの１周期内の点灯パターンを、予め決められた明るさのレベルに応じて複数記憶しておく。複数の点灯パターンの基本形態は、各色のＬＥＤが独立して順に点灯される個別点灯期間ａと、各色のＬＥＤの全てが同時に点灯される全部点灯期間ｂとからなり、ＲＧＢの三原色とＷ（白色）の光を時分割で射出させるパターンとする。また、対応する明るさのレベルによって全部点灯期間ｂの時間（割合）を異ならせておく。投影動作時には周囲の明るさのレベルに応じた点灯パターンを読み出し、それに応じて各色のＬＥＤの点灯パターンを自動的に切り替え、投影画像の明度を最適化する。【選択図】      図４
2007094108.tif 000002
【特許請求の範囲】
【請求項１】
発光色の異なる複数の発光手段からなる光源を備え、色面順次方式によりカラー画像を投影するプロジェクタ装置において、
各々が前記カラー画像の異なる投影条件に対応するとともに、前記複数の発光手段における１周期内での異なる点灯形態を示す複数の点灯形態情報を記憶する記憶手段と、
前記カラー画像の投影条件を取得する取得手段と、
この取得手段により取得された投影条件に対応する点灯形態情報を前記記憶手段から読み出す読み出し手段と、
前記複数の発光手段における１周期内での点灯形態を、前記読み出し手段により読み出された点灯形態情報により示される点灯形態に制御する制御手段と
を備えたことを特徴とするプロジェクタ装置。
【請求項２】
前記取得手段により取得される投影条件は、前記カラー画像の投影環境下における明るさであることを特徴とする請求項１記載のプロジェクタ装置。
【請求項３】
前記記憶手段に記憶されている複数の点灯形態情報により示される点灯形態の違いは、１周期内における白色光を得るための点灯期間の長さの違いであることを特徴とする請求項２記載のプロジェクタ装置。
【請求項４】
前記複数の発光手段の発光色にはＲＧＢの三原色が含まれ、
前記複数の点灯形態情報により示される点灯形態は、三原色の発光手段が独立して順に点灯される個別点灯期間と、三原色の発光手段の全てが同時に点灯される同時点灯期間とを含む形態であることを特徴とする請求項３記載のプロジェクタ装置。
【請求項５】
前記複数の点灯形態情報により示される点灯形態は、前記同時点灯期間が前記個別点灯期間の各々の間に存在する形態であることを特徴とする請求項４記載のプロジェクタ装置。
【請求項６】
前記複数の発光手段の発光色はＲＧＢの三原色であり、
前記記憶手段に記憶されている複数の点灯形態情報により示される点灯形態は、三原色の発光手段が順に最大輝度で点灯される各々の点灯期間に、最大輝度で点灯される色以外の他の２色の発光手段が最大以下の所定輝度で同時点灯される形態であり、
前記複数の点灯形態情報により示される点灯形態の違いは、最大輝度で点灯される色以外のＲＧＢの他の２色の発光手段が同時点灯されるときの輝度の違いであることを特徴とする請求項２記載のプロジェクタ装置。
【請求項７】
前記取得手段により取得される投影条件は、前記カラー画像における色の構成であることを特徴とする請求項１記載のプロジェクタ装置。
【請求項８】
前記複数の発光手段の発光色にはＲＧＢの三原色が含まれ、
前記記憶手段に記憶されている複数の点灯形態情報には、前記取得手段により取得された前記カラー画像に黄色が含まれている場合に対応する所定の点灯形態情報が含まれるとともに、当該所定の点灯形態情報により示される点灯形態は、Ｒ色及びＧ色の発光手段のみを同時に点灯する同時点灯期間を含む点灯形態である
ことを特徴とする請求項７記載のプロジェクタ装置。
【請求項９】
前記複数の発光手段の発光色にはＲＧＢの三原色が含まれ、
前記記憶手段に記憶されている複数の点灯形態情報には、前記取得手段により取得された前記カラー画像に補色が含まれている場合に対応する所定の点灯形態情報が含まれるとともに、当該所定の点灯形態情報により示される点灯形態は、Ｒ色及びＧ色の発光手段のみを同時に点灯する第１の同時点灯期間と、Ｇ色及びＢ色の発光手段のみを同時に点灯する第２の同時点灯期間と、Ｒ色及びＢ色の発光手段のみを同時に点灯する第３の同時点灯期間とを含む点灯形態である
ことを特徴とする請求項７記載のプロジェクタ装置。
【請求項１０】
前記所定の点灯形態情報により示される点灯形態は、さらに全ての発光手段が同時に点灯される同時点灯期間を含む点灯形態であることを特徴とする請求項８又は９記載のプロジェクタ装置。
【請求項１１】
発光色の異なる複数の発光手段からなる光源を備え、色面順次方式によりカラー画像を投影するプロジェクタ装置において前記複数の発光手段における１周期内での点灯形態を制御する光源制御方法であって、
前記カラー画像の投影条件を取得する工程と、
取得した投影条件に対応する点灯形態情報であって、記憶手段に事前に記憶されているとともに１周期内での異なる点灯形態を示す複数の点灯形態情報のいずれかを読み出す工程と、
前記複数の発光手段における１周期内での点灯形態を、読み出した点灯形態情報により示される点灯形態に制御する工程と
を含むことを特徴とする光源制御方法。
【請求項１２】
発光色の異なる複数の発光手段からなる光源を備え、色面順次方式によりカラー画像を投影するプロジェクタ装置が有するコンピュータに、
前記カラー画像の投影条件を取得する処理と、
取得した投影条件に対応する点灯形態情報であって、記憶手段に事前に記憶されているとともに１周期内での異なる点灯形態を示す複数の点灯形態情報のいずれかを読み出す処理と、
前記複数の発光手段における１周期内での点灯形態を、読み出した点灯形態情報により示される点灯形態に制御する処理と
を実行させるためのプログラム。
【発明の詳細な説明】
【技術分野】
【０００１】
本発明は、色面順次方式のプロジェクタ装置、及びその光源制御方法に関するものである。
【背景技術】
【０００２】
従来、会議やプレゼンテーションにおいては、コンピュータ等の画像供給装置から供給された画像信号を投影光に変換してスクリーン（又はホワイトボード等）上に拡大投影するプロジェクタ装置が使用されている。係るプロジェクタ装置においてカラー画像の投影を可能とする方式として色面順次（フィールドシーケンシャルカラー）方式と呼ばれるものがある。係る方式では、例えば回転方向にＲ（赤），Ｇ（緑），Ｂ（青）に領域分けされたカラーホイール（色フィルタ）を回転させ、そこに光源ランプの光を透過させることによりＲＧＢ各色の光を生成し、生成した光を液晶やマイクロミラーアレイ等の空間的光変調素子に入射することによりフルカラー表示が可能となっている。
【０００３】
また、例えば下記特許文献１には、単一の光源からＲＧＢの各色の光を生成するのではなく、光源として１周期内に時分割で個別に点灯されるＲＧＢ３色のＬＥＤ（発光ダイオード）光源を用いるプロジェクタ装置が記載されている。さらに、Ｇ用ＬＥＤの点灯時間をＲ用ＬＥＤ、Ｂ用ＬＥＤよりも長くし、Ｇ光の光束量を全体の光束量に対して６０％〜８０％にすれば、白色の投影画像を得ることができる旨の記載がある。
【特許文献１】特開２００４−１５１６５０号公報
【発明の開示】
【発明が解決しようとする課題】
【０００４】
しかしながら、前記プロジェクタ装置においては、前述したように白色の投影画像を得ることはできるが、各色のＬＥＤ光源における１発光周期に対する点灯時間が固定されている。そのため投影画像の質の向上を図るには自ずと限界があった。
【０００５】
本発明は、かかる従来の課題に鑑みてなされたものであり、発光色の異なる複数の発光手段からなる光源を備えた構成において、より質の高い画像を投影することが可能なプロジェクタ装置、及びその光源制御方法を提供することを目的とする。
【課題を解決するための手段】
【０００６】
前記課題を解決するため請求項１の発明にあっては、発光色の異なる複数の発光手段からなる光源を備え、色面順次方式によりカラー画像を投影するプロジェクタ装置において、各々が前記カラー画像の異なる投影条件に対応するとともに、前記複数の発光手段における１周期内での異なる点灯形態を示す複数の点灯形態情報を記憶する記憶手段と、前記カラー画像の投影条件を取得する取得手段と、この取得手段により取得された投影条件に対応する点灯形態情報を前記記憶手段から読み出す読み出し手段と、前記複数の発光手段における１周期内での点灯形態を、前記読み出し手段により読み出された点灯形態情報により示される点灯形態に制御する制御手段とを備えたものとした。
【０００７】
かかる構成においては、発光色の異なる複数の発光手段における１周期内での点灯形態を、カラー画像の投影条件に適した点灯形態に自動的に切り替えることができる。
【０００８】
また、請求項２の発明にあっては、前記取得手段により取得される投影条件は、前記カラー画像の投影環境下における明るさであるものとした。
【０００９】
かかる構成においては、発光色の異なる複数の発光手段における１周期内での点灯形態を、投影環境下における明るさに適した点灯形態に自動的に切り替えることができる。
【００１０】
また、請求項３の発明にあっては、前記記憶手段に記憶されている複数の点灯形態情報により示される点灯形態の違いは、１周期内における白色光を得るための点灯期間の長さの違いであるものとした。
【００１１】
かかる構成においては、投影画像の明度を投影環境下における明るさに適した明度に自動的に切り替えることができる。
【００１２】
また、請求項４の発明にあっては、前記複数の発光手段の発光色にはＲＧＢの三原色が含まれ、前記複数の点灯形態情報により示される点灯形態は、三原色の発光手段が独立して順に点灯される個別点灯期間と、三原色の発光手段の全てが同時に点灯される同時点灯期間とを含む形態であるものとした。
【００１３】
また、請求項５の発明にあっては、前記複数の点灯形態情報により示される点灯形態は、前記同時点灯期間が前記個別点灯期間の各々の間に存在する形態であるものとした。
【００１４】
かかる構成においては、明度の上昇に伴い生ずる投影画像のちらつきを減少させることができ、同時に発光手段の温度上昇を抑制するができる。
【００１５】
また、請求項６の発明にあっては、前記複数の発光手段の発光色はＲＧＢの三原色であり、前記記憶手段に記憶されている複数の点灯形態情報により示される点灯形態は、三原色の発光手段が順に最大輝度で点灯される各々の点灯期間に、最大輝度で点灯される色以外の他の２色の発光手段が最大以下の所定輝度で同時点灯される形態であり、前記複数の点灯形態情報により示される点灯形態の違いは、最大輝度で点灯される色以外のＲＧＢの他の２色の発光手段が同時点灯されるときの輝度の違いであるものとした。
【００１６】
また、請求項７の発明にあっては、前記取得手段により取得される投影条件は、前記カラー画像における色の構成であるものとした。
【００１７】
かかる構成においては、発光色の異なる複数の発光手段における１周期内での点灯形態を、カラー画像における色の構成に適した点灯形態に自動的に切り替えることができる。
【００１８】
また、請求項８の発明にあっては、前記複数の発光手段の発光色にはＲＧＢの三原色が含まれ、前記記憶手段に記憶されている複数の点灯形態情報には、前記取得手段により取得された前記カラー画像に黄色が含まれている場合に対応する所定の点灯形態情報が含まれるとともに、当該所定の点灯形態情報により示される点灯形態は、Ｒ色及びＧ色の発光手段のみを同時に点灯する同時点灯期間を含む点灯形態であるものとした。
【００１９】
かかる構成においては、黄色が含まれているカラー画像を投影するとき、投影画像における黄色の部分の発色性を向上させることができる。
【００２０】
また、請求項９の発明にあっては、前記複数の発光手段の発光色にはＲＧＢの三原色が含まれ、前記記憶手段に記憶されている複数の点灯形態情報には、前記取得手段により取得された前記カラー画像に補色が含まれている場合に対応する所定の点灯形態情報が含まれるとともに、当該所定の点灯形態情報により示される点灯形態は、Ｒ色及びＧ色の発光手段のみを同時に点灯する第１の同時点灯期間と、Ｇ色及びＢ色の発光手段のみを同時に点灯する第２の同時点灯期間と、Ｒ色及びＢ色の発光手段のみを同時に点灯する第３の同時点灯期間とを含む点灯形態であるものとした。
【００２１】
かかる構成においては、補色が含まれているカラー画像を投影するとき、投影画像における補色の部分の発色性を向上させることができる。
【００２２】
また、請求項１０の発明にあっては、前記所定の点灯形態情報により示される点灯形態は、さらに全ての発光手段が同時に点灯される同時点灯期間を含む点灯形態であるものとした。
【００２３】
かかる構成においては、投影画像における明るさの低下を防止することができる。
【００２４】
また、請求項１１の発明にあっては、発光色の異なる複数の発光手段からなる光源を備え、色面順次方式によりカラー画像を投影するプロジェクタ装置において前記複数の発光手段における１周期内での点灯形態を制御する光源制御方法であって、前記カラー画像の投影条件を取得する工程と、取得した投影条件に対応する点灯形態情報であって、記憶手段に事前に記憶されているとともに１周期内での異なる点灯形態を示す複数の点灯形態情報のいずれかを読み出す工程と、前記複数の発光手段における１周期内での点灯形態を、読み出した点灯形態情報により示される点灯形態に制御する工程とを含む方法とした。
【００２５】
かかる方法によれば、発光色の異なる複数の発光手段における１周期内での点灯形態を、カラー画像の投影条件に適した点灯形態に自動的に切り替えることができる。
【００２６】
また、請求項１２の発明にあっては、発光色の異なる複数の発光手段からなる光源を備え、色面順次方式によりカラー画像を投影するプロジェクタ装置が有するコンピュータに、前記カラー画像の投影条件を取得する処理と、取得した投影条件に対応する点灯形態情報であって、記憶手段に事前に記憶されているとともに１周期内での異なる点灯形態を示す複数の点灯形態情報のいずれかを読み出す処理と、前記複数の発光手段における１周期内での点灯形態を、読み出した点灯形態情報により示される点灯形態に制御する処理とを実行させるためのプログラムとした。
【発明の効果】
【００２７】
以上のように本発明においては、発光色の異なる複数の発光手段における１周期内での点灯形態を、カラー画像の投影条件に適した点灯形態に自動的に切り替えることができるようにした。よって、発光色の異なる複数の発光手段からなる光源を備えた構成において、より質の高い画像を投影することが可能となる。
【００２８】
また、前記点灯形態を、投影環境下における明るさに適した点灯形態に自動的に切り替えることができる。さらに、投影画像の明度を投影環境下における明るさに適した明度に自動的に切り替えることができる。また、明度の上昇に伴い生ずる投影画像のちらつきを減少させることができ、同時に発光手段の温度上昇を抑制するができる。
【００２９】
また、前記点灯形態を、カラー画像における色の構成に適した点灯形態に自動的に切り替えることができる。さらに、黄色が含まれているカラー画像を投影するとき、投影画像における黄色の部分の発色性を向上させたり、投影画像における補色の部分の発色性を向上させたりすることが可能となる。また、それらの場合における投影画像の明るさの低下を防止することができる。
【発明を実施するための最良の形態】
【００３０】
以下、本発明の一実施の形態を図にしたがって説明する。
（実施形態１）
図１は、各実施の形態に共通する本発明に係るプロジェクタ装置１の電気的構成を示すブロック図である。
【００３１】
プロジェクタ装置１は、図示しない本体に設けられるとともに、例えばパーソナルコンピュータ等の外部機器との映像入出力の接続のためのＵＳＢ端子、映像入力用のミニＤ−ＳＵＢ端子、Ｓ端子、及びＲＣＡ端子等からなる入出力コネクタ部２を備えている。
【００３２】
入出力コネクタ部２より入力された各種規格の画像信号は、入出力インタフェース（Ｉ／Ｆ）３、システムバスＳＢを介して画像変換部４で所定のフォーマットの画像信号に統一された後に、投影エンコーダ５へ送られる。投影エンコーダ５は、送られてきた画像信号をビデオＲＡＭ６に展開記憶させた上でこのビデオＲＡＭ６の記憶内容からビデオ信号を発生して投影駆動部７に出力する。
【００３３】
投影駆動部７は、送られてきた画像信号に対応して所定のフレームレート（例えば３０フレーム／秒）で空間的光変調素子（ＳＯＭ）８を表示駆動する。そして、この空間的光変調素子８に対して、後述する光源部９から出射する光を照射することにより、その反射光によって光像が形成され、それが投影レンズ１０を介して図示しないスクリーンに投影表示される。また、投影レンズ１０は、ズーム（変倍）及びフォーカスの調整機能を有するレンズ群から構成されており、レンズモータ１１によって駆動されることでズーム位置及びフォーカス位置が適宜調整される。
【００３４】
図２は、前述した光源部９の構成を示した図である。光源部９には、互いに発光色が異なるＲＧＢ用の３つのＬＥＤ（発光ダイオード）９０Ｒ，９０Ｇ，９０Ｂが、ダイクロイックミラー９１の周囲に配置されている。各ＬＥＤの９０Ｒ，９０Ｇ，９０Ｂの光束はコンデンサレンズ９２によって個々にダイクロイックミラー９１へ収束される。収束された各光束はダイクロイックミラー９１により合成された後、ライトトンネル９３に導かれ、その内部で反射を繰り返すことにより均一化される。そして、均一化された光束が光源レンズ９４を介して前述した空間的光変調素子８に向かい射出される構成である。
【００３５】
一方、プロジェクタ装置１は制御部１２により各部の動作を制御されている。制御部１２は、主としてＣＰＵと、ＣＰＵで実行される動作プログラムを固定的に記憶したＲＯＭ１２ａ、及びワークメモリとして使用されるＲＡＭ等により構成されている。
【００３６】
また、制御部１２には、前述した入出力インタフェース３、画像変換部４、投影エンコーダ５に加え、表示駆動部１３、明るさ検出部１５がシステムバスＳＢを介して接続されている。表示駆動部１３は、制御部１２からの指令によって液晶表示パネルで構成される表示部１４を駆動し、表示部１４に装置の動作状態や、各種のガイドメッセージ等を表示させる。明るさ検出部１５は、フォトレジスターや光電池等の光センサ、及びアンプ等からなり、装置本体周囲の明るさに応じた検出信号を制御部１２に出力する。
【００３７】
さらに、制御部１２には、キー入力部１６が接続されている。キー入力部１６は、ユーザーがプロジェクタ装置１の操作に使用する電源ボタンを含む各種の操作ボタンを含み、いずれかの操作ボタン等の操作に伴い、その操作内容を示す操作信号を制御部１２に入力する。
【００３８】
そして、前述した制御部１２のＲＯＭ１２ａには、後述する制御に使用される点灯パターンデータが記憶されている。点灯パターンデータは、予め決められている明るさレベルに応じた、前記光源部９のＬＥＤ９０Ｒ，９０Ｇ，９０Ｂの一周期内における点灯パターンを示すデータ、つまり本発明の点灯形態情報である。本実施の形態において前記明るさレベルはレベル１〜３の３段階であり、各レベルは、光源部９における投影光の発光性能に応じて以下のように規定されている。すなわち画像の投影に適した範囲の明るさがレベル１、それよりもやや明るい範囲の明るさがレベル２、さらに明るい範囲の明るさがレベル３となっている。
【００３９】
また、各明るさレベルに対応する点灯パターンデータによって示される点灯パターン（点灯形態）は、以下のように決められている。すなわち、図３〜図５は各明るさレベル１〜３にそれぞれ対応する点灯パターンを示した図である。
【００４０】
図示したように、明るさレベル１の点灯パターン（図３）は、各色のＬＥＤ９０Ｒ（Ｒ−ＬＥＤ），９０Ｇ（Ｇ−ＬＥＤ），９０Ｂ（Ｂ−ＬＥＤ）が独立して順に点灯される個別点灯期間ａのみからなり、光源部９からＲＧＢの三原色の光を時分割で射出させるパターンである。
【００４１】
また、明るさレベル２の点灯パターン（図４）は、前記個別点灯期間ａと、各色のＬＥＤ９０Ｒ，９０Ｇ，９０Ｂの全てが同時に点灯される全部点灯期間（本発明の同時点灯期間）ｂとからなり、光源部９からＲＧＢの三原色と、Ｗ（白色）の光を時分割で射出させるパターンである。また、１周期内でのＷ（白色）光の割合は２５％である。
【００４２】
また、明るさレベル３の点灯パターン（図５）は、明るさレベル２の点灯パターンと同様に、個別点灯期間ａと全部点灯期間ｂとからなり、光源部９からＲＧＢの三原色と、Ｗ（白色）の光を時分割で射出させるパターンである。ただし、１周期内でのＷ（白色）光の割合は５０％である。
【００４３】
次に、以上の構成からなるプロジェクタ装置１における本発明に係る動作について説明する。図６は、電源投入時または電源投入後にユーザーによって所定の操作があったとき前記制御部１２が実施する光源制御に関する処理を示したフローチャートである。なお、ここではパーソナルコンピュータ等から入力する画像データが、カラー画像であるものとして説明する。
【００４４】
制御部１２は電源投入等に伴い動作を開始し、まず明るさ検出部１４から送られた検出信号に基づき装置本体周囲の明るさを取得する（ステップＳＡ１）。次に、取得した明るさが前述した明るさレベルのいずれに該当するか確認した後（ステップＳＡ２）、確認した明るさのレベルに対応する点灯パターンデータを前記ＲＯＭ１２ａから読み出す（ステップＳＡ３）。しかる後、読み出した点灯パターンデータによって示される点灯パターンに応じた前記光源部９における各ＬＥＤ９０Ｒ，９０Ｇ，９０Ｂの点灯制御、及びそれと同期した空間的光変調素子８の駆動制御を開始し（ステップＳＡ４）、処理を終了する。
【００４５】
これにより、電源投入時等において装置本体周囲の明るさが前述したレベル１である投影条件下においては、ＲＧＢの三原色からなる光によって従来と同様の画像が投影される。一方、装置本体周囲の明るさが前述したレベル２及びレベル３である投影条件下においては、ＲＧＢの三原色とＷ（白色）からなる光によって画像が投影されるため、彩度はやや低下するが明度の高い投影画像が投影される。しかも、装置本体周囲の明るいほど投影画像の明度が上がる。
【００４６】
したがって、投影場所が投影に適した明るさである（暗い）場合には、光源におけるＷ（白色）の割合を無くす（ゼロにする）ことにより、通常の彩度が確保された投影画像を得ることができる。同時に、投影場所が室内の窓際等のように比較的明るい場合には、明るさに応じて光源におけるＷ（白色）の割合を増やす（明度を上げる）ことにより、外光の影響によるコントラストの低下が抑制された、見やすい投影画像を得ることができる。つまり、投影環境下における明るさに適した点灯形態に自動的に切り替えることができるため、より質の高い画像を投影することができる。
【００４７】
なお、本実施の形態では、装置本体周囲の明るさを３段階にレベル分けし、光源におけるＷ（白色）の割合を３段階（０％、２５％、５０％）に自動調整するものについて説明したが、Ｗ（白色）の割合をさらに細かく調整するようにしてもよい。また、装置本体周囲の明るさを検出し、それを投影環境下の明るさとして取得するようにしたが、例えば画像を投影するスクリーンやホワイトボード等の投影対象の明るさを、任意の画像を投影する前後にそれぞれ検出し、それらの差に基づき投影環境下の明るさを取得（判断）するようにしてもよい。
【００４８】
また、本実施の形態では、光源部９からＷ（白色）を含む光を射出させるときの、各色のＬＥＤ９０Ｒ（Ｒ−ＬＥＤ），９０Ｇ（Ｇ−ＬＥＤ），９０Ｂ（Ｂ−ＬＥＤ）の点灯パターンとして、１周期内に、前述した全部点灯期間ｂが１回出現するパターンを採用したが、以下のような点灯パターンを採用してもよい。
【００４９】
すなわち図７は本実施の形態の変形例を示す図であって、前述した全部点灯期間ｂは、各色の個別点灯期間ａの間に分割して３回出現させる点灯パターンとしてもよい。その場合においても、１周期内における各々の全部点灯期間ｂの合計の割合を明るさに応じて変化（調整）させることにより本発明と同様の効果を得ることができる。しかも、全部点灯期間ｂを分割することにより、投影画像の明度を上げることに伴い生ずる画像のチラツキを減少させることができる。同時に各色のＬＥＤ９０Ｒ，９０Ｇ，９０Ｂの連続点灯時間が短くなるため、それらの温度上昇（発熱）を抑制することができる。
【００５０】
また、以上の説明では、各色のＬＥＤ９０Ｒ，９０Ｇ，９０Ｂの点灯パターンとして、光源部９からＷ（白色）を含む光を射出ものとしたが、それに限らず、前記ＲＯＭ１２ａには、Ｗ（白色）を含む光を射出さない、以下のような点灯パターンを示す点灯パターンデータを記憶しておいてもよい。
【００５１】
すなわち、図８は、他の変形例を示す図であり、図示したように、一周期内において、各色のＬＥＤ９０Ｒ，９０Ｇ，９０Ｂを最大輝度で順に点灯させるとともに、各々の最大輝度点灯期間ｃ，ｃ，ｃに、その期間において最大輝度で点灯させる色以外の他の２色のＬＥＤを最大以下の所定輝度（以下、補助光輝度という。）で同時点灯させることを基本として、補助光輝度（例えばＬＥＤ９０Ｒが最大輝度である最大輝度点灯期間ｃでは９０Ｇ，９０Ｂの輝度）が互いに異なる複数の点灯パターンを示す複数の点灯パターンデータを、明るさのレベルに対応して記憶させておいてもよい。なお、この場合、明るさのレベルがより高いものに対応する点灯パターンには、前記補助光輝度をより高く設定することとなる。また、先に説明したものと同様、明るさのレベルが最も低い（レベル１）に対応する点灯パターンにおいては、前記補助光輝度をゼロすなわち、最大輝度で点灯させる色以外の他の２色のＬＥＤを消灯させるようにしてもよい。なお、輝度の制御は電流の制御に行う。また、空間的光変調素子８の駆動は、装置本体周囲の明るさに関係なく一定である。
【００５２】
係る変形例においては、投影場所が室内の窓際等のように比較的明るい場合には、前記前記補助光輝度を明るさに応じて明度を上げることにより、色の再現性はやや低下するが明度の高い投影画像が投影される。しかも、装置本体周囲の明るいほど投影画像の明度が上がる。したがって、投影場所が明るいときほど、投影画像の明度を上げることができ、外光の影響によるコントラストの低下が抑制された、見やすい投影画像を得ることができる。
【００５３】
（実施形態２）
次に、本発明の第２の実施の形態を説明する。本実施の形態は、図１に示したプロジェクタ装置１において、前述した制御部１２のＲＯＭ１２ａに、前記光源部９のＬＥＤ９０Ｒ，９０Ｇ，９０Ｂの一周期内における点灯パターンを示す点灯パターンデータとして、第１の実施の形態で図３に示したものと同様の点灯パターン（以下、通常点灯パターンという。）を示すデータと、図９に示した黄色強調点灯パターンと、図１０に示した補色強調点灯パターンとを示すデータとが記憶されているものである。
【００５４】
黄色強調点灯パターン（図９）は、図示したように、各色のＬＥＤ９０Ｒ，９０Ｇ，９０Ｂが独立して点灯される個別点灯期間ａと、それらの全てが同時に点灯される全部点灯期間ｂと、Ｒ（赤色）及びＧ（緑色）のＬＥＤ９０Ｒ，９０Ｇのみを同時に点灯する同時点灯期間ｄとからなり、光源部９からＲＧＢの三原色とＷ（白色）、Ｙ（黄色）の光を時分割で射出させるパターンである。また、全部点灯期間ｂと同時点灯期間ｄは各々の個別点灯期間ａの間に存在するとともに、双方の時間は同一で、かつ各々の個別点灯期間ａよりも短くなっている。
【００５５】
また、補色強調点灯パターン（図１０）は、図示したように、前述した個別点灯期間ａおよび全部点灯期間ｂと、Ｒ（赤色）及びＧ（緑色）のＬＥＤ９０Ｒ，９０Ｇのみを同時に点灯する第１の同時点灯期間ｄ、Ｇ（緑色）及びＢ（青色）のＬＥＤ９０Ｇ，９０Ｂのみを同時に点灯する第２の同時点灯期間ｅ、Ｒ（赤色）及びＢ（青色）のＬＥＤ９０Ｒ，９０Ｂのみを同時に点灯する第３の同時点灯期間ｆとからなり、光源部９からＲＧＢの三原色とＷ（白色）とＹ（黄色）、Ｃ（シアン色）、Ｍ（マゼンタ色）の光を時分割で射出させるパターンである。また、全部点灯期間ｂが分割して第１〜第３同時点灯期間ｄ，ｅ，ｆと共に各々の個別点灯期間ａの間に存在しており、それらの時間は同一で、かつ各々の個別点灯期間ａよりも短くなっている。
【００５６】
次に、本実施の形態におけるプロジェクタ装置の本発明に係る動作について説明する。図１１は、パーソナルコンピュータ等から入力する画像データに基づくカラー画像を投影している投影動作中に、前記制御部１２が実施する光源制御に関する処理を示したフローチャートである。
【００５７】
制御部１２は投影開始とともに処理を開始し、まず入力画像（投影する画像）に含まれる色を確認する（ステップＳＢ１）。そして、入力画像に補色が含まれていないときには（ステップＳＢ２でＹＥＳ）、前記通常点灯パターンの点灯パターンデータを前記ＲＯＭ１２ａから読み出し（ステップＳＢ３）、その通常点灯パターンによる前記光源部９における各ＬＥＤ９０Ｒ，９０Ｇ，９０Ｂの点灯制御、及びそれと同期した空間的光変調素子８の駆動制御を開始する（ステップＳＢ７）。これにより、ＲＧＢの三原色からなる光によって従来と同様の画像が投影される。
【００５８】
また、入力画像に補色が含まれており、かつそれが黄色のみであったときには（ステップＳＢ２，ＳＢ４が共にＹＥＳ）、前記黄色強調点灯パターンの点灯パターンデータを前記ＲＯＭ１２ａから読み出し（ステップＳＢ５）、黄色強調点灯パターンによる光源部９における各ＬＥＤ９０Ｒ，９０Ｇ，９０Ｂの点灯制御、及びそれと同期した空間的光変調素子８の駆動制御を開始する（ステップＳＢ７）。
【００５９】
この場合、光源部９から射出される光にはＹ（黄色）の光が含まれるため、投影画像として、黄色の部分、例えば投影画像がドキュメントの場合において黄色のマーカーが引かれている部分の発色性が向上した画像を得ることができる。しかも、光源部９から射出される光には、Ｙ（黄色）の光と同様の割合でＷ（白色）の光が含まれるため、投影画像の明るさを低下させることなく、黄色の部分の発色性を向上させることができる。
【００６０】
また、入力画像に黄色を含む複数の補色、又は黄色以外の補色が含まれていたときには（ステップＳＢ２がＹＥＳ、ステップＳＢ４でＮＯ）、前記補色強調点灯パターンの点灯パターンデータを前記ＲＯＭ１２ａから読み出し（ステップＳＢ６）、補色強調点灯パターンによる光源部９における各ＬＥＤ９０Ｒ，９０Ｇ，９０Ｂの点灯制御、及びそれと同期した空間的光変調素子８の駆動制御を開始する（ステップＳＢ７）。
【００６１】
この場合、光源部９から射出される光にはＹ（黄色）、Ｃ（シアン色）、Ｍ（マゼンタ色）の補色の光が含まれるため、投影画像として、補色の部分の発色性が向上した画像を得ることができる。しかも、光源部９から射出される光には上記補色系の光と同様の割合でＷ（白色）の光が含まれるため、投影画像の全体的な明るさを低下させることなく、補色の部分の発色性を向上させることができる。さらに、光源部９からＷ（白色）の光が射出される全部点灯期間ｂが各々の個別点灯期間ａの間に分割されているため、それが分割されていない場合に生ずる画像のチラツキを減少させることができると同時に、各色のＬＥＤ９０Ｒ，９０Ｇ，９０Ｂの連続点灯時間が短いため、それらの温度上昇（発熱）を抑制することができる。
【００６２】
そして、前述したようにいずれかの点灯パターンに応じて光源部９における各ＬＥＤ９０Ｒ，９０Ｇ，９０Ｂの点灯制御、及びそれと同期した空間的光変調素子８の駆動制御を開始した後には、入力画像が変更される毎に（ステップＳＢ８でＹＥＳ）、ステップＳＢ１へ戻り前述した処理を繰り返す。
【００６３】
以上のように本実施の形態においては、光源部９における各ＬＥＤ９０Ｒ，９０Ｇ，９０Ｂの点灯パターンを、入力画像（投影する画像）に含まれる色の構成に適した点灯形態に自動的に切り替えることができるため、より質の高い画像を投影することができる。
【００６４】
なお、本実施の形態においては、前述した黄色強調点灯パターン（図９）及び補色強調点灯パターン（図１０）に、光源部９からＷ（白色）の光を射出させる全部点灯期間ｂを含めることにより、投影画像の明るさが低下することを防止できるようにしたが、上記全部点灯期間ｂを無くしても、投影画像における黄色の部分や補色の部分の発色性を向上させることはできる。
【００６５】
また、図示しないが、前述した制御部１２のＲＯＭ１２ａに、第１の実施の形態で図４及び図５に示したものと同様に１周期内に全部点灯期間ｂを含むとともに、その時間（割合）が異なる複数の通常点灯パターンと、全部点灯期間ｂの時間（割合）が異なる複数の黄色強調点灯パターン及び複数の補色強調点灯パターンをそれぞれ示す複数の点灯パターンデータを、明るさのレベルに対応させて記憶しておき、前述したステップＳＢ３，ＳＢ５，ＳＢ６においては、電源投入時等に予め検出し記憶しておいた装置本体周囲の明るさや、その時々に検出した装置本体周囲の明るさのレベルに対応する点灯パターンを読み出すようにしてもよい。その場合には、光源部９における各ＬＥＤ９０Ｒ，９０Ｇ，９０Ｂの点灯パターンを、入力画像（投影する画像）に含まれる色の構成だけでなく、投影環境下における明るさに適した点灯形態に自動的に切り替えることができるため、より一層質の高い画像を投影することが可能となる。
【図面の簡単な説明】
【００６６】
【図１】本発明の各実施の形態に共通するプロジェクタ装置のブロック図である。
【図２】同プロジェクタ装置における光源部の構成図である。
【図３】第１の実施の形態における明るさレベル１に対応する点灯パターンを示した図である。
【図４】同実施の形態における明るさレベル２に対応する点灯パターンを示した図である。
【図５】同実施の形態における明るさレベル３に対応する点灯パターンを示した図である。
【図６】同実施の形態における制御部の光源制御に関する処理を示したフローチャートである。
【図７】同実施の形態の変形例における点灯パターンを示した図である。
【図８】同実施の形態の他の変形例における点灯パターンを示した図である。
【図９】第２の実施の形態における黄色強調点灯パターンを示した図である。
【図１０】同実施の形態における補色強調点灯パターンを示した図である。
【図１１】同実施の形態における制御部の光源制御に関する処理を示したフローチャートである。
【符号の説明】
【００６７】
１    プロジェクタ装置
３    入出力インタフェース（Ｉ／Ｆ）
４    画像変換部
７    投影駆動部
８    空間的光変調素子（ＳＯＭ）
９    光源部
９１    ダイクロイックミラー
９２    コンデンサレンズ
９３    ライトトンネル
９４    光源レンズ
１０    投影レンズ
１２    制御部
１４    明るさ検出部
【図１】
2007094108.tif 000003
【図２】
2007094108.tif 000004
【図３】
2007094108.tif 000005
【図４】
2007094108.tif 000006
【図５】
2007094108.tif 000007
【図６】
2007094108.tif 000008
【図７】
2007094108.tif 000009
【図８】
2007094108.tif 000010
【図９】
2007094108.tif 000011
【図１０】
2007094108.tif 000012
【図１１】
2007094108.tif 000013